(57)【要約】【課題】遊技者が打ったゴルフボールがターゲットに到達すると抽選により遊技ポイントを得られるようにしたゴルフ遊技場に使用するゴルフ遊技システムにおいて、遊技者に自己のスイングを観察でき、あるいは画像を用いてより強い興趣を与えるような演出を行うゴルフ遊技システムを提供する。【解決手段】打席１１に、遊技者４がゴルフボール３を打ったことを検出する打出検出手段１３と、遊技者の打撃中の映像を取得するスイング撮影手段１４を備え、打出検出手段１３でゴルフボール３の打ち出しを検出すると、打出時刻より所定時間遡った時点から所定時間後の時点まで遊技者４の動きを撮影し、ターゲット２１にはターゲット撮影手段２３を備えてボールが近づく様子を撮影し、これらの映像を画像表示装置に表示したり記録媒体に記録する。【選択図】  図２
2004147813.tif 000002
【特許請求の範囲】
【請求項１】
遊技者がゴルフボールを打つ打席と１個以上のターゲットを備え、打ち出されたゴルフボールとターゲットとの距離に基づいて与えられる得点を争って遊技するゴルフ遊技システムにおいて、
前記打席は、ゴルフボールが打ち出されたことを検出する打出検出手段と、遊技者の打撃中の映像を取得するスイング撮影手段を備え、
打出検出手段でゴルフボールの打ち出しを検出すると、該打出時刻より所定時間遡った時点から所定時間後の時点まで前記遊技者の動きを撮影した映像信号を出力することを特徴とするゴルフ遊技システム。
【請求項２】
遊技者がゴルフボールを打つ打席と、１個以上のターゲットを備え、打ち出されたゴルフボールとターゲットの距離に基づいて与えられる得点を争って遊技するゴルフ遊技システムにおいて、
前記ターゲットの少なくとも１個には、該ターゲットを含みその周辺を撮影して映像信号を出力するターゲット撮影手段を備えることを特徴とするゴルフ遊技システム。
【請求項３】
さらに、前記撮影手段から出力する映像信号を、遊技者認識符号、ターゲット認識符号、遊技時刻など、遊技に対応する付帯情報信号と共に記録する映像記録手段を備えることを特徴とする請求項１または２記載のゴルフ遊技システム。
【請求項４】
さらに、取得した前記映像を表示する映像表示手段を備え、前記対応する付帯情報信号に基づいて該映像を選択して表示することを特徴とする請求項３記載のゴルフ遊技システム。
【請求項５】
さらに、前記映像記録手段に記録された前記映像信号とこれに対応する付帯情報信号とを送信可能な通信端末に送信する映像送信手段を備えることを特徴とする請求項３記載のゴルフ遊技システム。
【発明の詳細な説明】
【０００１】
【発明の属する技術分野】
本発明は、遊技的要素を取り入れたゴルフ練習場あるいはゴルフ遊技場において遊技を進行させるゴルフ遊技システムに関し、特に映像を用いてより一層興趣を高めるようにしたゴルフ遊技システムに関する。
【０００２】
【従来の技術】
従来、ゴルフ練習場では練習者は、実際に打ったゴルフボールの球筋を観察しスイングや打ち方を矯正しながら繰り返し練習する。また、グランド内に適当なターゲットを設定してこれを狙ってボールを打って練習したりする。しかし、長い時間練習していると飽きてくる。そこで、多少遊技的要素を加えることにより興味を持続させて、練習の効果を高めるようにしたゴルフ遊技場が開発されている。
【０００３】
たとえば、特許文献１に開示された練習装置は、ゴルフボールが目標の位置に到達すると抽選を行い、抽選結果に基づいて賞品を進呈するもので、練習者に目標位置に飛ばそうとする意欲を掻き立てさせて楽しみながら練習できるようにしたものである。特に、遠い目標、近い目標、難しい目標、易しい目標のいずれも抽選によりそれなりの確率で賞品を受けることができるため、熟練者と初心者を問わず楽しむことができる。また、本願出願人は、既に特願２００２−２２２６３１や特願２００２−２２２６３１により、ゴルフボールに無線タグを仕込むことにより固有の識別情報を利用して遊技者を正確に識別できるようにし、さらにボールがターゲットに入ったときでなくボールを打ったときにポイントの抽選をすることにより、上手下手に関係なく必ず抽選の楽しみを受けられるようにしたゴルフ遊技システムを提供している。このようなゴルフ遊技システムでは、遊技者は、ボールを打てば必ず抽選を楽しむことができ、飽きることなくゴルフ技術の練習をすることができる。
【０００４】
しかし、上記開示したゴルフ遊技システムでは、遊技者が打球中の自己のフォームを観察することができないため、スイングについて良否を判定することができない。したがって、自己の欠点を正確に認識するのではなく自己の思い込みに基づいてスイングの調整をするか、他人のアドバイスに従って練習する他ない。また、ターゲットまではかなり遠いので、打ったゴルフボールとターゲットの位置関係を打席から正確に把握することができない。このため、打ったボールがターゲットに近づく様子をつぶさに観察して楽しむことができない。
【０００５】
【特許文献１】
特開２００１−２４６０３５号公報
【０００６】
【発明が解決しようとする課題】
そこで、本発明が解決しようとする課題は、遊技者が打ったゴルフボールがターゲットに到達すると抽選により遊技ポイントを得られるようにしたゴルフ遊技場に使用するゴルフ遊技システムにおいて、遊技者に自己のスイングを観察できるようにし、あるいは画像を用いてより強い興趣を与えるような演出を行うゴルフ遊技システムを提供することである。
【０００７】
【課題を解決するための手段】
上記課題を解決するため、本発明のゴルフ遊技システムは、遊技者がゴルフボールを打つ打席と１個以上のターゲットとを備えて、打ち出されたゴルフボールとターゲットの距離に基づいて与えられる得点を争って遊技するゴルフ遊技システムであって、打席には、ゴルフボールが打ち出されたことを検出する打出検出手段と、遊技者の打撃中の映像を取得するスイング撮影手段を備え、打出検出手段でゴルフボールの打ち出しを検出すると、打出時刻より所定時間遡った時点から所定時間後の時点まで遊技者の動きを撮影することを特徴とする。
【０００８】
ゴルフボールを打つときは、視線がボールに固定されるため、自己の姿勢、クラブ先端の動き、頭の向きなど注意しなければならないとされる事項を自分で観察することができない。したがって、スイング撮影手段を備えて、これでスイング中の映像を取得しておけば、後でゆっくりと納得のいくまで観察して自己の欠点を見つけて、矯正するように練習することができる。このように、本発明のゴルフ遊技システムは、単に遊技を楽しめるばかりでなく、効果の高い練習を可能とする。なお、スイングの撮影は映画のように多数の画像を連続的に取得するようにしてもよいが、記憶装置の容量を節約して多数の遊技者について長時間利用できるようにするため、映画の駒落ちのように適当な間隔で間欠的に撮影してもよい。
【０００９】
さらに、ターゲットの少なくとも１個には、そのターゲットを含みターゲット周辺を撮影するターゲット撮影手段を備えてもよい。撮影装置は、ターゲットの情報から映像を取得するようにセットすることが好ましい。ターゲット撮影手段によりターゲットに近づいたゴルフボールの状態を映像として観察することができるようになるので、肉眼により地平すれすれの角度で遠方からボールの行方を観察する場合には得られないような高度の臨場感を得ることができ、ゲームとしての興趣を高める効果がある。なお、狙ったターゲットだけを撮影すればよいので、遊技者は１個のターゲットを選択して指定し、指定されたターゲットを撮影する撮影手段のみを作動させるようにしてもよい。
【００１０】
さらに、スイング撮影手段あるいはターゲット撮影手段で取得した映像を、遊技者認識符号、ターゲット認識符号、遊技時刻など、遊技に対応する付帯情報と共に記録する映像記録手段を備えることが好ましい。記録しておいた映像と付帯情報は、適当な機会に取り出して利用することができる。さらに、取得した前記映像を画像表示する映像表示手段を備え、付帯情報に基づいて映像を選択して適当な場所に表示できるようにすることが好ましい。映像表示手段は遊技者のいる打席に設けて、遊技者がそのまま映像を観察できるようにしてもよい。遊技者は、１回ボールを打つ毎にスイングとターゲットの映像を見たり、巧く打てたと思われるスイングを選択して見たりすることができる。
【００１１】
また、映像記録手段に記録された映像とこれに対応する付帯情報とを遠方に送信する通信端末に送り込む映像送信手段を備えてもよい。たとえば携帯電話で映像を受信して、悦に入ったり、知人に見せて自慢したり、教えを請うたりできれば、ゴルフ遊技システムの効用が大幅に広がることになる。また、フレキシブルディスク、ＣＤ−Ｒ、ＤＶＤ−Ｒ、ＤＶＤ−ＲＷなど、コンピュータ読み取り可能な記録媒体に書き込んで遊技者に提供してもよい。
【００１２】
なお、本発明のゴルフ遊技システムは、無線タグを内蔵したゴルフボールを使用するゴルフ遊技場に適用することもできる。無線タグを利用したゴルフ遊技場では、多数の遊技者が同時にプレイしても、あるターゲットに入賞したボールがどの遊技者の打ったものかを判定して、的確に得点を配布することができる。また、ゴルフボールを打ち出したことを検出したときに獲得可能な遊技ポイントを抽選により決定して報知するようにしたゴルフ遊技システムであってもよい。このような仕組みであると、熟練度が異なる遊技者でも同等に抽選を楽しむことができ、ゲーム性が高まる。
【００１３】
【発明の実施の形態】
以下、本発明について図面を用い実施例に基づいて詳細に説明する。図１は本発明のゴルフ遊技システムを適用したゴルフ遊技場の平面図、図２は本発明の１実施例に係るゴルフ遊技システムの構成を示すブロック図である。
【００１４】
図１に示すように、本実施例のゴルフ遊技システムは、多数の打席１１が並ぶ打席列１とその前面に広がり複数のターゲット２１を設置したグランド２を持ったゴルフ遊技場に適用することができ、図２に示すようなシステム管理機器構成を有する。遊技者４はゴルフボール３を常にターゲット２１に近付けるように練習し、ゴルフボールがターゲットに十分近い位置に停止すれば抽選によって遊技ポイントを受けることができる。
【００１５】
複数ある打席１１にはそれぞれ自動ボール供給装置１２が設けられていて、遊技者４が１人ずつ入ってプレイすることができる。遊技者４は、決められた打撃位置に据えたゴルフボール３をターゲット２１を目指して打つ。自動ボール供給装置１２は打出検出器１３を備え、打撃位置のゴルフボール３が打ち出されて無くなるとこれを検知し新しいゴルフボールを打撃位置に供給する。打出検出器１３は、たとえば、ボールで反射する赤外線を検出する検知器を利用して、それまで存在していたボール３が無くなったときに打撃があったと判断するようにしてもよい。
【００１６】
また、打席１１には、遊技者４がゴルフクラブを振り回す様子を撮影することができる位置に、スイング撮影装置１４が設備されている。スイング撮影装置１４は、ビデオカメラやデジタルカメラなど、映像を電気信号として供給できる機器で構成される。カメラの撮影距離が足りないときは、隣のスペースに設置してもよい。
【００１７】
ターゲット２１には近くに停止したゴルフボールを検出するボール検知器２２が設けられている。また、ターゲット２１は到達したボールを回収する穴を設けたものであってもよく、このようなターゲットでは回収穴を通してボールを回収する間に検知器によりボールの到達を検出する。ターゲット２１の上方にターゲット撮影装置２３が設置され、ターゲット２１とその周辺部を撮影して、ターゲット２１付近におけるゴルフボールの様子を観察することができる。
【００１８】
本実施例のゴルフ遊技システムは、無線を用いて外部に識別情報を通知できる無線タグを埋め込んだ特殊なゴルフボールを使うことができる。無線タグは、たとえば２ｍｍ角程度の極く小さい無線通信ＩＣとアンテナからなり、内蔵のメモリからデータを読み出したり外部からデータを書き込むことができるようにしたもので、品物に付けて使用するものである。ゴルフボール３に埋め込んだ無線タグに識別情報を記録し、打撃位置とターゲット位置で検出するようにする。識別情報から、ゴルフボール３自体の識別あるいはそのゴルフボール３に係る遊技者４の認識をすることができるので、ターゲット位置で検出した入賞したゴルフボールの識別情報に基づいてそのボールを打った遊技者を特定することができる。
【００１９】
無線タグの情報読取装置は情報交換の可能な距離が決まるため、ターゲット位置に設置した識別情報受信器をボール検出器２２として利用し、この距離を半径とする範囲を入賞範囲として到達を検出してもよい。さらに、ボールを検出したときに、抽選により０点を含む何点かの遊技ポイントを授与するようにしてもよい。打席１１には、自動ボール供給装置１２の打出検出器１３に加えて、ゴルフボール３を掴み出す場所に無線タグの情報読取装置を識別情報受信器として設置して利用する。なお、識別情報受信器は無線タグと通信をすることによってゴルフボール３の存在を検知することができるので、識別情報受信器を打出検出器１３としても利用することができる。
【００２０】
打席１１の打出検出器１３もしくは識別情報受信器とスイング撮影装置１４の出力信号と、各ターゲット２１のボール検出器２２とターゲット撮影装置２３の出力信号は、パソコンやマイコンなど汎用電子計算機を利用して構成したシステム管理装置５に集められる。システム管理装置５には、演算装置、プログラムやデータを記憶する内部記憶装置、Ｉ／Ｏインターフェース、などから構成される通常のパソコン部５１に加えて、画像情報を蓄積できる大容量の映像記憶装置５２が収納され、また画像表示装置５３、外部記録装置５４、通信端末装置５５が接続されている。外部記録装置５４は、フレキシブルディスク、ＣＤ−Ｒ、ＤＶＤ−Ｒ、ＤＶＤ−ＲＷなど、コンピュータ読み取り可能な可搬式記録媒体５６に映像情報を書き込んで、遊技者に提供するために使用される。
【００２１】
システム管理装置５は、識別情報受信器が読み取る打席１１のゴルフボール３の識別情報に基づいて、ゴルフボール３自体と打席１１あるいは遊技者４を関連づける。その後、ターゲット２１に到達したゴルフボール３の識別情報からゴルフボールの個体を認識し、このゴルフボール３がどの打席１１から打ち出されたものか、あるいはどの遊技者４に関係するかを判定する。したがって、複数の打席１１と複数のターゲット２１を備える遊技場においても、ターゲット２１に到達したゴルフボールとこのボールを打った遊技者４の対応を正しく判定することができる。
【００２２】
システム管理装置５は、打出検出信号を受信すると抽選によりボールポイントとターゲットポイントを決定する。ボールポイントは、予め定めた打撃当選確率テーブルを使用し、乱数を発生して選ばれた数値が指示するテーブルの桝に与えられた値に基づいて決める。ターゲットポイントは、ターゲットの難易度などに基づいて決定しても、各ターゲットごとに抽選によりターゲットポイントを決定してもよい。抽選が開始されると、抽選演出として表示装置５３に愉快な映像や賑やかな音声を適当な時間発生させて抽選が行われたことを表示し、さらに、打球演出として抽選結果に基づいて大量得点が期待できるときは派手な、またそれより小さい点数が期待できるときは地味な信号表示を行う。ゴルフボールがターゲットに入って入賞すれば、入賞検出信号の入力を契機として、音響や照明により入賞演出を行い、遊技ポイントを算定し、表示装置５３に遊技ポイントの得点を表示する。抽選演出、打球演出、入賞演出などは、画面を凝視しなくても簡単に得点レベルが分かるようにすることが好ましい。
【００２３】
スイング映像を撮影するときは、システム管理装置５が、打出検出器１３によりゴルフボールが打撃位置にセットされたことを検知すると、スイング撮影装置１４に撮影を開始させる。次に、打出検出器１３がゴルフボールの打撃を検知して打出検出信号を発生すると、システム管理装置５は、１〜３秒程度の適当な時間が経過した後に撮影を停止し、スイング撮影装置１４の映像出力信号を、遊技者認識番号、打席番号、プレイ時刻、目標ターゲット番号などの付帯情報と一緒に映像記憶装置５２に記録する。なお、ゴルフボールをセットしたら直ちに打撃動作に入るわけではないので、打出検出時点から１０〜１５秒など所定時間遡った時点から映像を記憶させるようにしてもよい。撮影は、所定間隔毎に間欠的に行ってもよい。
【００２４】
ターゲット部の映像を取得するときは、遊技者４が１個のターゲット２１を選択して指定し、打席１１からゴルフボール３を打ち出すと、ターゲット撮影装置２３が目標のターゲット２１の撮影を開始する。ボール検出器２２によりゴルフボールが停止したことを検知するか、適当な時間経過したときに撮影を停止する。その後、ターゲット周辺を撮影した映像信号とこれに対応する付帯情報を映像記憶装置５２に記録する。
【００２５】
取得した映像は、遊技者４の指示によって画像表示装置５３に表示することができる。遊技者４は、スイング映像とターゲット映像のそれぞれについて、予め表示の要否を指定する。遊技者４が映像を表示することを求めるときは、撮影が完了すると直ちに画像表示装置５３に表示する。抽選経過演出や抽選結果報知を画像表示装置５３で行うときは、映像表示と重なるので、画面をソフトウエア的に分割して同時に表示することが好ましい。なお、画面を分割する代わりに交互に表示してもよい。さらに、指示によりいずれかを切り替えて表示するようにしてもよい。また、スイング映像は所定間隔毎の映像を重ねて表示してもよい。
【００２６】
映像記録装置５２に記憶した映像信号は、遊技者４の要請に従って外部記録装置５４を介して可搬式記録媒体５６に記録し、遊技者４に提供することもできる。遊技者４は、自分のパソコンで映像を再生し、フォームなどをじっくりと研究することができる。また、通信端末装置５５を介して画像表示可能な通信端末５７に送信することも可能である。このような通信端末５７には、パソコン、携帯電話機、各種のＰＤＡ（パーソナルデジタルアシスタント）がある。
【００２７】
本実施例の演出装置を適用したゴルフ遊技システムによれば、自分のゴルフスイングを映像で確認することができるので、自分の欠点がよく分かり、練習の効率が向上する。また、遊戯中に打ったゴルフボールがターゲットに寄っていく様子が画像で観察できるので、打球の改善方向が明確になり技術錬磨に役立つばかりでなく、ゲームとしての面白味が増加する。なお、本発明は遊技ポイントを獲得して楽しむゴルフ遊技場ばかりでなく、景品の付かない普通のゴルフ練習場でも利用できることはいうまでもない。
【００２８】
【発明の効果】
以上説明したように、本発明のゴルフ遊技システムによって、ゴルフ練習の効果が増大し、またゲームとしての面白味も大きくなるので、ゴルフ遊技場の効用が増大する。
【図面の簡単な説明】
【図１】本発明のゴルフ遊技システムを適用するゴルフ遊技場の平面図である。
【図２】本発明の１実施例に係るゴルフ遊技システムの構成を示すブロック図である。
【符号の説明】
１  打席列
１１  打席
１２  自動ボール供給装置
１３  打出検出器
１４  スイング撮影装置
２  グランド
２１  ターゲット
２２  ボール検知器
２３  ターゲット撮影装置
２４  識別情報受信器
２５  到達検出器
３  ゴルフボール
４  遊技者
５  システム管理装置
５１  パソコン部
５２  映像記録装置
５３  画像表示装置
５４  外部記録装置
５５  通信端末装置
５６  可搬式記録媒体
５７  通信端末
【図１】
2004147813.tif 000003
【図２】
2004147813.tif 000004